(57)【特許請求の範囲】
【請求項１】
便器の上面に載設される温水洗浄装置であって、各種機器を収納するケースにおける前部に分割部分が設けられ、当該ケース分割部分内に洗浄ノズルが収納され、当該ケース分割部分と前記洗浄ノズルとは便器上面に固定されるケース主部に対し回動可能に構成されていることを特徴とする分割部分を有する温水洗浄装置。
【請求項２】
便器の上面に載設される温水洗浄装置であって、各種機器を収納するケースにおける前部に分割部分が設けられ、当該ケース分割部分内に洗浄ノズルが収納され、当該ケース分割部分と前記洗浄ノズルとは便器上面に固定されるケース主部に対し上方へスライド移動が可能に構成されていることを特徴とする分割部分を有する温水洗浄装置。
【発明の詳細な説明】
【０００１】
【産業上の利用分野】
本発明は、便器の上面に載設される温水洗浄装置に関するものであって、清掃作業を容易にして、衛生状態の保持に寄与するものである。
【０００２】
【従来の技術】
図４は、従来の温水洗浄装置１０を便器２０の上面後部に載設した状態を示すものである。図示する温水洗浄装置１０は、洗浄ノズル１４，温水タンク１５，温風ファン１６，制御装置１７等の温水洗浄や温風乾燥を行うために必要な各種機器を、カバー１２と底板１３とから成るケース１１に内蔵したものである。
【０００３】
また図５に示すように、上記温水洗浄装置１０のケース１１前面には、便蓋２２及び便座２３が枢支される。
【０００４】
【発明が解決しようとする課題】
上記温水洗浄装置１０は、便器２０の後部上面へ、ボルト１８・ナット１９によって固定されている。このため、温水洗浄装置１０の底板１３が便器２０上面に重なる部分は、両者の隙間ｄから汚れが侵入するという問題がある。そして溜まった汚れを除去するには、ボルト１８・ナット１９を取り外して温水洗浄装置１０の固定状態を解除しなくてはならず、清掃に手間のかかるものであった。底板１３が便器２０上面に重なる部分のうち特に前方側の領域は男性の小用時において汚されることがしばしばあるのにもかかわらず、従来の温水洗浄装置１０では上述の理由により清掃に少なからぬ労力と時間とが必要であり、衛生状態の維持を図るうえで改善の余地が有る。
【０００５】
【課題を解決するための手段】
本発明は前記事情に鑑み、温水洗浄装置における清掃を容易にすることを目的として創案されたものであり、その特徴とするところは、各種機器を収納するケースにおける前部に分割部分を設け、当該ケース分割部分内に洗浄ノズルを収納せしめ、当該ケース分割部分と前記洗浄ノズルとを便器上面に固定されるケース主部に対し回動可能に構成したことである。
【０００７】
また、前記ケース分割部分を前記ケース主部に対し上方へスライド移動が可能に構成することもできる。
【０００８】
【作用】
本発明に係る温水洗浄装置は、ケースの前部に回動又はスライド移動が可能な分割部分を設けたので、当該部分を回動又はスライド移動させることにより、従来汚れが溜まりやすかったにもかかわらず清掃が困難であった便器上面に重なる部分の汚れを、きわめて容易に除去することができる。
【０００９】
【実施例】
〔第１実施例〕
図１は、本発明を適用した温水洗浄装置１の一例を示すものである。この温水洗浄装置１は、温水洗浄や温風乾燥を実行するための各種機器を収納するケースを前後に分割したところに特色を有する。すなわちケースは、便器に固定される後方側のケース主部２と、該ケース主部２に対して回動可能な前方側のケース分割部３とから構成されている。なお符号６は、この温水洗浄装置１の操作パネルを上面に備えたコントロール部である。
【００１０】
温水洗浄装置１を構成する各種機器のうち、ケース分割部３には洗浄ノズル７を収納せしめ、分割部３の裏面に形成した開口部３ａから伸出できるようにすることが望ましい。温水タンク，温風ファン，制御装置等については、ケース主部２に収納するが、必要に応じ、比較的軽量の機器をケース分割部３に収納することもできる。
【００１１】
本実施例では、ケース分割部３は便座４と一体的に製作され、ボルト等からなる枢支部５でケース主部２へ回動可能に装着されている。従って、同図（Ｂ）に示す如く便座４を開き上げることによりケース分割部３を共に上方へ回動させることができる。またケース分割部３が上方へ回動することにより、洗浄ノズル７を進退させる開口部３ａの位置も上昇するから、男性小用時に、洗浄ノズル７が小便等で汚され難くなるという利点を有している。
【００１２】
本実施例の場合、ケース主部２に収納する温水タンクとケース分割部３の洗浄ノズルとを配管接続する必要があるが、これには図２に例示する如く、可撓性のホース又はパイプ９ａを用いる。そして、このホース又はパイプ９ａは、ケース分割部３の回動に従ってケース主部２内から引き出されるようにすればよい。
【００１３】
さらに、ケース主部２内の温風ファンから供給される温風を、ケース分割部３の裏面開口部３ａから吹き出させるため、ダクト９ｂをケース主部２から引き出し可能に取り付け、これをケース分割部３の開口部３ａ内に設けた温風吹出口８（図１（Ｂ）参照）に接続する。なお図示は省略したが、便座４を暖房便座とする場合や便座４に人体検知用の着座センサー等を取り付ける場合の電気配線も、同様にしてケース主部２とケース分割部３間に配設される。
【００１４】
〔第２実施例〕
図３に示す実施例は、温水洗浄装置１のケース分割部３と便座４を別体構成とし、それぞれケース主部２へ回動可能に取り付けたものである。前記第１実施例では、ケース分割部３と便座４とが一体構成されているので、男性小用時において便座４を開き上げるたびごとに、ケース分割部３も回動する。すわなち、ケース分割部３の回動頻度が高いために、長期間の使用によって、ケース分割部３内に収納した洗浄ノズル等の機器類や配管・温風ダクト・電気配線等に何らかの影響を与えるおそれがある。しかるに本実施例では、ケース分割部３と便座４とを別体構成としたことにより、通常の使用においては便座４のみを回動操作し、清掃を必要とするときのみケース分割部３の上方回動を行えばよいから、洗浄ノズル等に対する影響を少なくすることができる。
【００１５】
〔その他の実施例〕
前述の第１，第２実施例は例示に過ぎないものであり、本発明の実施態様はこれらに限定されるものではない。例えば、ケース分割部はケース主部に対して回動する以外に、上方へスライド移動し得るように構成することも可能である。その他、本発明の実施例は、実施の態様に応じて適宜の変更・応用を施すことを妨げない。
【００１６】
【発明の効果】
本発明は、温水洗浄装置のケースの一部を分割して回動又はスライド移動が可能としたことによって、従来、汚れやすかったにもかかわらず清掃が困難であった便器上面を簡単に清掃することができるようになる。依って、温水洗浄装置の衛生状態を良好に保つことが容易になる。
【図面の簡単な説明】
【図１】本発明の第１実施例に係る温水洗浄装置を示すものであって、（Ａ）はケース分割部を回動させる前の状態の斜視図、（Ｂ）はケース分割部を回動させた状態の斜視図である。
【図２】本発明の第１実施例に係る温水洗浄装置に関する部分拡大側面図である。
【図３】本発明の第２実施例に係る温水洗浄装置を示すものであって、（Ａ）はケース分割部を回動させる前の状態の斜視図、（Ｂ）はケース分割部を回動させた状態の斜視図である。
【図４】便器上面に載設された従来の温水洗浄装置を示す部分切欠斜視図である。
【図５】従来の温水洗浄装置を示す側面断面図である。
【符号の説明】
１    温水洗浄装置
２    ケース主部
３    ケース分割部
３ａ  開口部
４    便座
５    枢支部
７    洗浄ノズル
８    温風吹出口
２０  便器
２１  便鉢
【図１】
0003622123.tif 000002
【図２】
0003622123.tif 000003
【図３】
0003622123.tif 000004
【図４】
0003622123.tif 000005
【図５】
0003622123.tif 000006